(57)【要約】【課題】自動販売機の商品見本や広告等の視認性を妨げる虞が少なく、かつ、専用の照明光を必要とせず照明効果を得ることができる、広告表示体を提供する。【解決手段】広告表示体１は、湾曲および屈曲可能なシート状物Ｓによって形成される前面部２と背面部３とを備える。前面部２は、シート状物Ｓに広告が印刷されてなる広告表示部２ａを有して、前方に凸となるように湾曲している。背面部３は、広告表示部２ａに対向位置するとともに並設される、光導入部４および光反射部５を有しており、空間Ｗを挟んで前記前面部２の背面側に位置している。【選択図】  図１
2004213203.tif 000002
【特許請求の範囲】
【請求項１】
自動販売機の外に取り付けられる広告表示体であって、
前面部と、前記前面部の背面側に位置する背面部と、を備え、
前記前面部は、広告が表示されるとともに、光透過体からなる広告表示部を有し、
前記背面部は、前記広告表示部に対向位置するとともに並設される、光導入部と光反射部とを有し、
前記光導入部を通して、前記自動販売機における電照室の照明光が、前記広告表示部の裏面を照らすべく、前記広告表示体内に取り入れられ、
前記光反射部が、前記広告表示部で反射した前記照明光を受けて、その照明光を前記広告表示部の裏面に向かって反射させることを特徴とする広告表示体。
【請求項２】
前記前面部と前記背面部とは、湾曲および屈曲可能な合成樹脂製のシート状物によって形成され、
前記広告表示部は、前記シート状物に広告が印刷されてなることを特徴とする、請求項１に記載の広告表示体。
【請求項３】
前記シート状物は、透明体からなることを特徴とする、請求項２に記載の広告表示体。
【請求項４】
前記広告表示部には、その広告が印刷されてなる広告表示層の後ろに、白インキによる印刷によって形成された反射層が設けられることを特徴とする、請求項２または３に記載の広告表示体。
【請求項５】
前記反射層は、前記光反射部に対向する側から、前記光導入部に対向する側に進むにつれ、そのインキ密度が大となるように印刷されてなることを特徴とする、請求項４に記載の広告表示体。
【請求項６】
前記光反射部は、光反射フィルムまたは光反射シートが前記シート状物に貼り付けられてなることを特徴とする、請求項２ないし５のいずれか１項に記載の広告表示体。
【請求項７】
前記光反射部は、白インキ、メタリックインキ、鏡面インキ、または、白インキに合成樹脂製あるいはガラス製等の粒子が混入されてなる光拡散反射性を有するインキのうち、いずれか一つのインキが、前記シート状物に印刷されてなるか、または、金属が、前記シート状物に蒸着されてなることを特徴とする、請求項２ないし５のいずれか１項に記載の広告表示体。
【請求項８】
前記光反射部は、前記光導入部寄りに位置する第１の光反射部と、前記光導入部から離れた側に位置する第２の光反射部とからなり、
前記第１の光反射部は、前記第２の光反射部におけるインキ密度以下あるいは蒸着密度以下の範囲で、前記光導入部側から前記第２の光反射部側に進むにつれ、そのインキ密度あるいは蒸着密度が大となるように形成されてなることを特徴とする、請求項７に記載の広告表示体。
【請求項９】
前記背面部の上部側には、前記光反射部が設けられ、前記背面部の下部側には、前記光導入部が設けられることを特徴とする、請求項１ないし８のいずれか1項に記載の広告表示体。
【請求項１０】
前記背面部は、前記前面部の対向しあう端部からそれぞれ折り曲げられてなる、第１の背面部と第２の背面部とを備え、
前記第１の背面部と前記第２の背面部とのいずれか一方の先端には、被掛止片が設けられ、前記第１の背面部と前記第２の背面部とのいずれか他方には、前記被掛止片が掛け止められる掛止孔が設けられることを特徴とする、請求項２ないし９のいずれか１項に記載の広告表示体。
【請求項１１】
前記前面部は、前記背面部との間に空間を形成して、前方に凸となるように湾曲していることを特徴とする、請求項２ないし１０のいずれか１項に記載の広告表示体
【請求項１２】
前記背面部は、前記前面部との間に空間を形成して、後方に凸となるように湾曲していることを特徴とする、請求項２ないし１０のいずれか１項に記載の広告表示体。
【発明の詳細な説明】
【０００１】
【発明の属する技術分野】
本発明は、自動販売機に取り付けられて、ポップ広告を表示するポップ広告用の表示体として好適に実施できる、広告表示体に関するものである。
【０００２】
【従来の技術】
従来、缶入り飲料やタバコ等の自動販売機において広告を表示するには、２つの方法があった。第１には、自動販売機に設けられた広告表示室に広告表示体を取り付ける方法であった。第２には、広告表示体を自動販売機の外面に直接取り付ける方法であった。
【０００３】
【発明が解決しようとする課題】
ところで、前記第１の方法によると、広告表示体は、広告表示室に収容される大きさでなければならなかった。そして、広告表示室内の照明がなければ夜間の視認性を確保できなかった。また、前記第２の方法によると、夜間の視認性を考慮すると、商品見本が展示される見本陳列室、または、広告表示室のような、照明が設けられた電照室の前方に取り付けられる必要があった。そのため、商品見本等の視認性を妨げる虞があった。
【０００４】
この発明は、上記した従来の広告表示体の欠点を解決するためになされたものであり、その目的は、自動販売機の商品見本や広告表示室内の広告等の視認性を妨げる虞が少なく、かつ、専用の照明を必要とせずに照明効果を得ることができる広告表示体を提供することにある。
【０００５】
【課題を解決するための手段】
この発明に係る広告表示体は、前記目的を達成するために、次の構成からなる。すなわち、
請求項１に記載の発明に係る広告表示体は、自動販売機の外に取り付けられる広告表示体であって、前面部と、前記前面部の背面側に位置する背面部と、を備える。ここで、前記前面部は、広告が表示されるとともに、光透過体からなる広告表示部を有する。一方、前記背面部は、前記広告表示部に対向位置するとともに並設される、光導入部と光反射部とを有する。そして、前記光導入部を通して、前記自動販売機における電照室の照明光が、前記広告表示部の裏面を照らすべく、前記広告表示体内に取り入れられ、前記光反射部が、前記広告表示部で反射した前記照明光を受けて、その照明光を前記広告表示部の裏面に向かって反射させる。
【０００６】
広告表示体は、光導入部が自動販売機における見本陳列室あるいは広告表示室等の電照室の前方に位置するように、自動販売機の外に取り付けられる。そして、電照室の照明光は、その内部を照らすとともに、光導入部を通って広告表示部の裏面の一部に直接当たる。そして、その照明光の一部は、広告表示部を透過し、また一部は、反射して広告表示部の後方に位置する光反射部に当たる。ここで、広告表示部を透過した光が、広告として視認される。そして、光反射部に当たった照明光は、さらに反射して広告表示部の裏面に間接的に当たり、ここで透過した光が、広告として視認される。このように、広告表示部は、電照室の照明光が直接当たらない部位であっても、広告表示部と光反射部とで反射した反射光によって間接的に照らされる。したがって、この広告表示体によれば、光導入部が電照室の前方にあれば照明効果を得ることができる。
【０００７】
また、請求項２に記載の発明に係る広告表示体のように、請求項１に記載の広告表示体において、前記前面部と前記背面部とは、湾曲および屈曲可能な合成樹脂製のシート状物によって形成されてもよい。ここで、前記広告表示部は、前記シート状物に広告が印刷されて形成される。
【０００８】
また、請求項３に記載の発明に係る広告表示体のように、請求項２に記載の広告表示体において、前記シート状物は、透明体からなってもよい。このように、シート状物が透明であることから、広告表示部においては、シート状物の裏面側から広告を印刷してもその広告を視認できる。そして、透明なシート状物が印刷の前面を保護するので、耐久性に優れた広告表示体を提供できる。また、背面部においては、例えば、背面部に光導入部としての開口等を設けず、透明体自体をそのまま光導入部としても照明光を前記広告表示体内に取り入れることができる。
【０００９】
また、請求項４に記載の発明に係る広告表示体のように、請求項２または３に記載の広告表示体において、前記広告表示部には、その広告が印刷されてなる広告表示層の後ろに、白インキが印刷されてなる反射層が設けられることが望ましい。
【００１０】
このように、反射性の高い白インキからなる反射層が設けられることで、光導入部から取り込まれた照明光が広告表示部で反射する光量は、反射層が設けられない場合より多くなる。そして、光反射部で反射して広告表示部の裏面を間接的に照らす反射光の光量も多くなるので、広告表示部において直接照明光が当たらない部分に、より多くの光を当てることが可能となる。
【００１１】
また、請求項５に記載の発明に係る広告表示体のように、請求項４に記載の広告表示体において、前記光反射部に対向する側から、前記光導入部に対向する側に進むにつれ、そのインキ密度が大となるように印刷されてもよい。これにより、前記光反射部に対向する側（照明光が直接当たる光量が少ない部位）から、前記光導入部に対向する側（照明光が直接当たる光量が多い部位）に進むにつれ、広告表示部で反射する照明光の光量が多くなるとともに、広告表示部を透過する照明光の光量が少なくなる。すなわち、直接当たる照明光の光量が多い部位と、直接当たる照明光の光量が少ない部位とにおける透過光量の差が小さくなる。
【００１２】
また、請求項６に記載の発明に係る広告表示体のように、請求項２ないし５のいずれか１項に記載の広告表示体において、前記光反射部は、光反射フィルムまたは光反射シートが前記シート状物に貼り付けられてなるのが好ましい。
【００１３】
また、請求項７に記載の発明に係る広告表示体のように、請求項２ないし５のいずれか１項に記載の広告表示体において、前記光反射部は、白インキ、メタリックインキ、鏡面インキ、または、白インキに合成樹脂製あるいはガラス製等の粒子が混入されてなる光拡散反射性を有するインキのうち、いずれか一つのインキが、前記シート状物に印刷されてなるか、または、金属が、前記シート状物に蒸着されてなるのが望ましい。このように、光反射部は、インキの印刷により形成されるか、金属の蒸着により形成される。
【００１４】
また、請求項８に記載の発明に係る広告表示体のように、請求項７に記載の広告表示体において、前記光反射部は、前記光導入部寄りに位置する第１の光反射部と、前記光導入部から離れた側に位置する第２の光反射部とからなってもよい。ここで、前記第１の光反射部は、前記第２の光反射部におけるインキ密度以下あるいは蒸着密度以下の範囲で、前記光導入部側から前記第２の光反射部側に進むにつれ、そのインキ密度あるいは蒸着密度が大となるように形成されてなる。
このように、光反射部は、光導入部から遠い部位すなわち電照室の照明が届き難い部位ほど、広告表示部で反射された照明光をより多く反射させて、広告表示部の裏面に当てるようになっている。
【００１５】
また、請求項９に記載の発明に係る広告表示体のように、請求項１ないし８のいずれか１項に記載の広告表示体において、前記背面部の上部側には、前記光反射部が設けられ、前記背面部の下部側には、前記光導入部が設けられてもよい。
一般に、自動販売機の最上部には、商品見本が展示される見本展示室が設けられている。そこで、広告表示体を自動販売機の前面上方部に取り付けることで、光導入部は、見本展示室の前面に位置することが可能となるために、広告表示体は、人目につき易く、アピール性が高いものとなる。
【００１６】
また、請求項１０に記載の発明に係る広告表示体のように、請求項２ないし９のいずれか１項に記載の広告表示体において、前記背面部は、前記前面部の対向しあう端部からそれぞれ折り曲げられてなる、第１の背面部と第２の背面部とを備えてもよい。ここで、前記第１の背面部と前記第２の背面部とのいずれか一方の先端には、被掛止片が設けられ、前記第１の背面部と前記第２の背面部とのいずれか他方には、前記被掛止片が掛け止められる掛止孔が設けられる。そして、被掛止片を掛止孔に差し込むことで、この広告表示体は、容易に形状を維持することができる。
【００１７】
また、請求項１１に記載の発明に係る広告表示体のように、請求項２ないし１０のいずれか１項に記載の広告表示体において、前記前面部は、前記背面部との間に空間を形成して、前方に凸となるように湾曲していることが望ましい。これにより、広告表示体は、広告表示部の面積が大きくなることから、広告を大きく表示できる。
【００１８】
また、請求項１２に記載の発明に係る広告表示体のように、請求項２ないし１０のいずれか１項に記載の広告表示体において、前記背面部は、前記前面部との間に空間を形成して、後方に凸となるように湾曲していてもよい。これにより、広告表示体は、広告表示部が自動販売機の前面に対して様々な角度を持つように取り付けることができる。
【００１９】
【発明の実施の形態】
以下、この発明に係る広告表示体の一実施の形態を図面に基づいて説明する。
【００２０】
図１ないし図５は、本発明にかかる広告表示体をポップ広告を表示するポップ広告用の表示体に具体化した一実施の形態を示す。図中符号１は、この発明に係る広告表示体の全体を示す。この広告表示体１は、自動販売機１０の外に取り付けられて各種広告を表示する、自動販売機用の広告表示体である。夜間においては、自動販売機１０における見本が陳列される見本陳列室１０ａ、あるいは、広告が表示される広告表示室１０ｂ等の、照明が設けられた電照室Ｄの照明によって照明されて、各種広告を表示するものである。
【００２１】
この広告表示体１は、前面部２と、その前面部２の背面側に、空間Ｗを挟んで位置する、背面部３とを備える。また、前面部２は、広告が表示されるとともに光透過体からなる広告表示部２ａを有し、背面部３は、前記広告表示部２ａに対向位置するとともに並設される、光導入部４と、光反射部５とを有している。ここで、光導入部４は、自動販売機１０における電照室Ｄの照明光が、前記広告表示部２ａの裏面を照らすべく、その照明光を広告表示体１内に取り込むためのものであり、光反射部５は、前記光導入部４を通して広告表示体１内に取り込まれ、広告表示部２ａで反射した照明光を受けて、広告表示部２ａの裏面に向かってさらに反射させるものである。
【００２２】
図示実施の形態においては、この広告表示体１は、例えば、両側部が開放されていて、その前面部２および背面部３は、湾曲および屈曲可能な、透明体からなる一枚の合成樹脂製のシート状物Ｓによって形成されており、かつ、前記背面部３は、前記シート状物Ｓが前記前面部２から折り曲げられてなる。ここで、前面部２は、背面部３との間に空間Ｗを形成して、前方に凸となるように湾曲している。また、背面部３は、シート状物Ｓが、前面部２の対向しあう端部としての上下の端部それぞれから折り曲げられてなる、第１の背面部３ａと、第２の背面部３ｂとを備えている。そして、第１の背面部３ａと第２の背面部３ｂとのいずれか一方としての第２の背面部３ｂの先端には、例えば略Ｔ字形状をした突片状の複数の被掛止片３ｃ、３ｃが設けられ、第１の背面部３ａと第２の背面部３ｂとのいずれか他方としての第１の背面部３ｂには、前記被掛止片３ｃを掛け止める、例えば略台形形状に穿たれた複数の掛止孔３ｄ、３ｄが設けられている。
【００２３】
前記広告表示部２ａは、前面部２を形成しているシート状物Ｓの裏面に広告が印刷されてなるものであって、その広告表示部２ａには、その広告が印刷されてなる広告表示層２ｂの後ろに、白インキの印刷によって形成された反射層２ｃが設けられている。この反射層２ｃは、後述する反射部５に対向する側（図示実施の形態においては、前面部２の上方）から、後述する光導入部４に対向する側（図示実施の形態においては、前面部２の下方）に進むにつれ、インキ密度が大となるように印刷されている。
【００２４】
また、図示実施の形態においては、この反射層２ｃは、前面部２に対して部分的に設けられているが、広告表示部２ａの態様によっては、前面部２に対して全体的に設けられてもよいことは勿論である。そして、光導入部４は、背面部３の下部側、すなわち、図示実施の形態においては、第１の背面部３ａの下方部および第２の背面部３ｂに設けられており、透明体からなるシート状物Ｓ自体の透明部によって形成されている。
【００２５】
また、光反射部５は、背面部３の上部側、すなわち、図示実施の形態においては、第１の背面部３ａの上方部に設けられており、前記シート状物Ｓに、例えば白インキが印刷されることにより形成されている。詳しくは、前記光反射部５は、光導入部４寄りに位置する第１の光反射部５ａと、光導入部４から離れた側に位置する第２の光反射部５ｂとからなり、前記第１の光反射部５ａは、前記第２の光反射部５ｂにおけるインキ密度以下の範囲で、光導入部４側すなわち下方から前記第２の光反射部５ａ側すなわち上方に進むにつれ、インキ密度が大となるように白インキが印刷されてなる。なお、光反射部５は、図示実施の形態においては、シート状物Ｓに白インキが印刷されてなるが、白インキの印刷に限定されるわけではなく、メタリックインキ、鏡面インキ、または、白インキに合成樹脂製あるいはガラス製等の粒子が混入されてなる光拡散反射性を有するインキが印刷されてなってもよいし、あるいは、金、銀あるいはアルミニウムなどの光沢性を備えた金属が蒸着されてなってもよい。
【００２６】
次に、以上の構成からなる広告表示体の作用効果について説明する。この広告表示体１は、図４および図５に示すように、光導入部４が、自動販売機１０の上方に設けられた、電照室Ｄとしての見本陳列室１０ａの周縁部前方に位置するように、自動販売機１０の前面上方に適宜固着手段、例えば両面テープなどによって取り付けられる。このように、広告表示体１は、高い位置に取り付けられるので、人目に付き易く、高い宣伝効果が得られる。ここで、前記見本陳列室１０ａの照明光は、光導入部４を通して、広告表示体１内に取り込まれる。こうして取り込まれた照明光は、広告表示部２ａの裏面に当たって、その一部は、広告表示部２ａを透過して広告として視認される。そして、透過しない照明光は、広告表示部２ａで反射して広告表示部２ａの後方に位置する光反射部５に当たって、さらに反射して広告表示部２ａの裏面に当たるか、あるいは、広告表示部２ａで反射して直接広告表示部２ａの裏面に当たる。そして、広告表示部２を透過した光が前記同様に広告として視認される（図５参照）。このように、広告表示部２ａは、照明光によって直接的に照明されるだけでなく、広告表示部２ａおよび光反射部５によって反射された照明光によって間接的に照明される。このように、光導入部４が見本陳列室１０ａの前方にあれば照明効果が得られるので、見本陳列室１０ａ内の見本をこの広告表示体１によって遮ることを極力防ぐことができる。また、広告表示体１は、見本陳列室１０ａの照明光で照らされるので、広告表示のための専用の照明を必要としない。
【００２７】
また、前面部２および背面部３が、透明なシート状物Ｓによって一体に形成されているので、部品点数が少なくなり、広告表示体１を安価に提供できる。また、広告表示部２ａは、その透明なシート状物Ｓの裏面から広告となる広告表示層２ｂを印刷して形成されるので、透明なシート状物Ｓがその広告表示層２ｂの表面を保護するために、広告表示体１は、耐久性に優れたものとなる。また、広告表示部２ａには、反射層２ｃが設けられているので、光導入部４から取り込まれた照明光が広告表示部２ａで反射する光量が多くなり、すなわち、広告表示部２ａを間接的に照らす照明光の光量も多くなるので、広告表示部２ａにおいて直接照明光が当たらない部分に、より多くの光を当てることが可能となる。さらには、反射層２ｃのインキ密度が、光反射部５に対向する側である上方から、光導入部４に対向する側である下方に向かって大きくなっているので、広告表示部２ａの上方（照明光が直接当たる光量が少ない部位）から、広告表示部２ａの下方（照明光が直接当たる光量が多い部位）に進むにつれ、広告表示部２ａで反射する照明光の光量が多くなるとともに、広告表示部２ａを透過する照明光の光量が少なくなる。すなわち、直接当たる照明光の光量が多い部位と、直接当たる照明光の光量が少ない部位とでの、透過光量の差が小さくなる。よって、広告表示体１は、見栄えよく照明される。
【００２８】
また、光反射部５は、第１の光反射部５ａおよび第２の光反射部５ｂを備えることで、光導入部４から遠い部位すなわち見本陳列室１０ａの照明が届き難い部位ほど、広告表示部２ａで反射した照明光をより多く反射させて、広告表示部２ａに当てるので、広告表示部２ａの明暗の差が小さくなって、広告表示体１は、一層見栄えのよく照明される。
【００２９】
また、前面部２は、前方に凸となるように湾曲されているので、より大きく広告を表示することができる。そして、この形状は、第２の背面部３ｂの先端に設けられた被掛止片３ｃ、３ｃを、第１の背面部３ａに設けられた掛止孔３ｄ、３ｄに掛け止めることで、容易に維持できる。
【００３０】
なお、本発明は、上述した実施の形態に限定されるものではなく、その他種々の変更が可能である。広告表示体１は、光導入部４が電照室Ｄの周縁部前方に位置するように取り付けられればよく、その取り付け個所は、必ずしも電照室周縁部上辺の近辺である自動販売機１０の前面上方に限られることはない。例えば、図３に示す広告を反時計周りに９０度回転して印刷すれば（図６参照）、電照室Ｄの周縁部側辺の近辺である自動販売機１０の前面右側に取り付けることも可能となる（図７参照）。もちろん、光導入部４と光反射部５とを設ける位置を、これら図示実施の形態に示される位置とは、左右あるいは上下において、互いに反対となる位置にすることにより、自動販売機１０の前面左側あるいは自動販売機１０の前面であって電照室Ｄの周縁部下辺の近辺に取り付けることも可能である。また、広告表示体１は、その両側部が開放されている必要はなく、また、その形状は、縦断面が三角形状、矩形形状等の多角形状、一部にアール面を備えた多角形状、その他の形状など、図示実施の形態に示される形状に限定されることなく、任意の形状にすることができる。
【００３１】
また、前面部２および背面部３は、一枚のシート状物Ｓによって一体成形されている必要はなく、複数枚のシート状物Ｓによってそれぞれ別体成形されたものであってもよい。また、前面部２および背面部３が、一体成形された場合であっても、背面部３は、前面部２の対向する端部のそれぞれから折り曲げられなくとも、前面部２のいずれか一端から折り曲げられてもよい。そして、広告表示部２ａは、前面部２の表面側から広告が印刷されてなってもよい。また、広告表示部２ａの広告表示層２ｂは、広告が印刷された光透過性の広告印刷体が、前面部２を形成しているシート状物Ｓの裏面あるいは表面に貼り付けられたものであってもよい。また、反射層２ｃは、ほぼ同じインキ密度で、白インキが印刷されていても構わない。
【００３２】
また、被掛止片３ｃは、第２の背面部３ｂでなくとも第１の背面部３ａの先端に設けられてもよい。このとき掛止孔３ｃは、第２の背面部３ｂに設けられる。
また、被掛止片３ｃおよび掛止孔３ｄの形状は、掛止孔３ｄが被掛止孔３ｃを掛け止めることができれば、どのような形状であってもよい。さらに、被掛止片３ｃおよび掛止孔３ｄの個数についても適宜変更可能である。
【００３３】
また、光反射部５は、第１の光反射部５ａと第２の光反射部５ｂとに分けられることなく、その全体がほぼ同じ密度となるように、または、全体的に光導入部４から離れるにつれ密度が大となるように、インキが印刷されるかあるいは金属が蒸着されて形成されても構わない。また、光反射部５は、必ずしもシート状物Ｓにインキが印刷されるかあるいは金属が蒸着されて形成される必要はなく、例えば、シート状物Ｓに光反射フィルムあるいは光反射シートが貼り付けられて形成されてもよい。
【００３４】
また、前面部２が前方に湾曲されているが、背面部３が、前記前面部２との間に空間Ｗを形成して後方に凸となるように湾曲されてもよい。これにより、広告表示体１は、広告表示部２ａが自動販売機１０の前面に対して様々な角度を持つように取り付けることができる。
【００３５】
【発明の効果】
以上、詳述したことから明らかなように、この発明に係る広告表示体によれば、次の効果がある。
【００３６】
請求項１に記載の広告表示体によれば、光導入部が電照室の前方にあれば照明効果を得ることができるので、前記広告表示体が電照室内の見本や広告等を遮ることを極力防ぐことができる。また、この広告表示体は、電照室の照明光で照らされるので、広告表示のための専用の照明を必要としない。
【００３７】
請求項２に記載の広告表示体によれば、請求項１の効果に加えて、部品点数を少なくすることができるので、広告表示体を安価に提供することができる。
【００３８】
請求項３に記載の広告表示体によれば、請求項２の効果に加えて、前面部の裏面側から広告を印刷することで、透明なシート状物が広告を保護するので、耐久性に優れた広告表示体を提供できる。また、背面部が透明体からなることから、透明体自体を光導入部とすることが可能であることから、製造コストを低減することができるので、広告表示体を一層安価に提供できる。
【００３９】
請求項４に記載の広告表示体によれば、請求項２または３の効果に加えて、広告表示部の裏面を間接的に照らす照明光が多くなるので、見栄えよく照明される広告表示体を提供できる。
【００４０】
請求項５に記載の広告表示体によれば、請求項４に記載の効果に加えて、広告表示部において、直接当たる照明光の光量差による透過光量の差を小さくすることができるので、より見栄えよく照明される広告表示体を提供できる。
【００４１】
請求項６に記載の広告表示体によれば、請求項２ないし５のいずれか１項に記載の効果に加えて、光反射部が光反射シートあるいは光反射フィルムによって容易に形成される。
【００４２】
請求項７に記載の広告表示体によれば、請求項２ないし５のいずれか１項に記載の効果に加えて、光反射部がインキの印刷あるいは金属の蒸着によって容易に形成される。
【００４３】
請求項８に記載の広告表示体によれば、請求項７に記載の効果に加えて、光反射部は、光導入部から遠い部位すなわち電照室の照明光が届き難い部位ほど、広告表示部で反射された照明光を多く反射させるので、広告表示部の明暗の差が小さくなって、見栄えのよい広告表示体を提供することができる。
【００４４】
請求項９に記載の広告表示体によれば、請求項１ないし８のいずれか１項に記載の効果に加えて、自動販売機の前面上部に取り付けることが可能となるので、人の目に付き易く、高い宣伝効果を得られる。
【００４５】
請求項１０に記載の広告表示体によれば、請求項２ないし９のいずれか１項に記載の効果に加えて、被掛止片を掛止孔に差し込むことで、容易に広告表示体の形状を維持できる。
【００４６】
請求項１１に記載の広告表示体によれば、請求項２ないし１０のいずれか１項に記載の効果に加えて、前面部の面積が大きくなるので、より大きい広告を表示することができる。
【００４７】
請求項１２に記載の広告表示体によれば、請求項２ないし１０のいずれか１項に記載の効果に加えて、人の目線に合わせて取り付けることが可能であるので、広告効果の高い広告表示体を提供できる。
【図面の簡単な説明】
【図１】この発明に係る広告表示体の一実施形態の斜視図である。
【図２】同じく、拡大縦断面図である。
【図３】同じく、広告表示体の展開正面図である。
【図４】同じく、広告表示体の取り付け状態を示す斜視図である。
【図５】同じく、取り付け状態を示す要部拡大側面図である。
【図６】この発明に係る広告表示体の、他の実施形態の展開正面図である。
【図７】同じく、取り付け状態を示す正面図である。
【符号の説明】
１  広告表示体                        ２  前面部
２ａ  広告表示部                      ２ｂ  広告表示層
２ｃ  反射層                          ３  背面部
３ａ  第１の背面部                    ３ｂ  第２の背面部
３ｃ  被掛止片                        ３ｄ  掛止孔
４  光導入部                          ５  光反射部
５ａ  第１の光反射部                  ５ｂ  第２の光反射部
Ｓ  シート状物                        １０  自動販売機
１０ａ  見本展示室                    １０ｂ  広告表示室
Ｄ  電照室                            Ｗ  空間
【図１】
2004213203.tif 000003
【図２】
2004213203.tif 000004
【図３】
2004213203.tif 000005
【図４】
2004213203.tif 000006
【図５】
2004213203.tif 000007
【図６】
2004213203.tif 000008
【図７】
2004213203.tif 000009